(57)【要約】【課題】本発明は、多数のデータが保存された大容量の非接触記録媒体からデータを取得する場合であっても、非接触記録媒体との接続時間を短くしてデータの内容を素早く確認することができるデータ取得装置を提供する。【解決手段】非接触通信インターフェースによる無線通信を介して接続された非接触記録媒体からデータを取得して表示するデータ取得装置において、非接触記録媒体２００との接続時に取得するデータを一定量に制限し、非接触記録媒体２００との接続および切断の回数に応じて、非接触記録媒体内の所定のアドレスからデータを取得する。【選択図】図４
2010011318.tif 000002
【特許請求の範囲】
【請求項１】
無線通信によって非接触記録媒体からデータを取得するデータ取得装置のデータ取得方法において、
前記非接触記録媒体との接続および切断の回数に応じて、非接触記録媒体内の所定の位置から一定量のデータを取得することを特徴とするデータ取得方法。
【請求項２】
前記取得するデータは、同一の種類のデータであることを特徴とする請求項１記載のデータ取得方法。
【請求項３】
前記取得するデータは、異なる種類のデータであることを特徴とする請求項１記載のデータ取得方法。
【請求項４】
前記一定量は、前記データ取得装置において一画面で表示できる量であることを特徴とする請求項１乃至３のいずれか１項に記載のデータ取得方法。
【請求項５】
非接触記録媒体との間で非接触通信を行う通信手段と、前記非接触記録媒体から前記非接触通信によりデータを取得する取得手段と、前記非接触記録媒体との接続および切断の回数をカウントするカウント手段とを備えるデータ取得装置において、
前記取得手段は、前記非接触記録媒体との接続時に取得するデータを一定量に制限し、非接触記録媒体との接続および切断の回数に応じて、非接触記録媒体内の所定の位置からデータを取得することを特徴とするデータ取得装置。
【請求項６】
前記取得手段は、一定量で同一の種類のデータを取得することを特徴とする請求項５記載のデータ取得装置。
【請求項７】
前記取得手段は、一定量で異なる種類のデータを取得することを特徴とする請求項５記載のデータ取得装置。
【請求項８】
接続された同一の非接触記録媒体か否かを識別するための識別情報を前記非接触記録媒体に記録する記録手段をさらに備えることを特徴とする請求項５乃至７のいずれか１項に記載のデータ取得装置。
【請求項９】
前記非接触記録媒体との接続および切断を検出する検出手段をさらに備え、
前記取得手段により一定量のデータが取得された後、一定時間内に、前記検出手段により同一の非接触記録媒体との切断および接続を検出した場合、前記カウント手段は、前記接続および切断の回数のカウントを継続することを特徴とする請求項５乃至８のいずれか１項に記載のデータ取得装置。
【請求項１０】
前記検出手段により前回とは異なる非接触記録媒体との接続および切断を検出した場合には、前記カウント手段は、前回カウントした接続および切断の回数をリセットすることを特徴とする請求項９記載のデータ取得装置。
【発明の詳細な説明】
【技術分野】
【０００１】
本発明は、非接触記録媒体からデータを取得することが可能なデータ取得装置および方法に関するものである。
【背景技術】
【０００２】
デジタルカメラや携帯電話などの機器の普及により動画や静止画の撮影が身近なものになり、これらの機器で撮影したデータを保存するために記録媒体を使用する機会が増えている。記録媒体については、使用する機器に応じて使い分けなければならない場合がある一方、同一の機器に使う場合であっても複数の記録媒体を使い分ける場合もある。例えば、デジタルカメラにはＳＤカードやコンパクトフラッシュ（登録商標）のようなカード型の半導体記録媒体（以下、「カード型記録媒体」とする）が使われることが多い。そして、カード型記録媒体の大容量化や低価格化に伴い、ユーザが複数枚のカード型記録媒体を所有し、被写体、撮影日時、イベントなどで使い分けることも容易になってきている。
【０００３】
カード型記録媒体の多くは、フロッピー（登録商標）ディスクやＣＤ−ＲＯＭのように、ラベル印刷やメモ書きを残すような空間がない。そのため、後々になって、どのカード型記録媒体にどのような画像が入っているかを判断することが困難である。このような場合、一般的には記録媒体をデジタルカメラ等の機器やパソコン等に装填して記録内容を確認することになる。
【０００４】
しかしながら、記録媒体をデジタルカメラ等に装填して記録内容を確認する場合、画像を表示するまでに所定の操作が必要になるなど、ユーザが煩わしい操作を行うことが避けられないことが多い。そこで、画像表示に至るまでの操作の煩わしさを軽減するために、無線通信インターフェースを備えたカード型記録媒体との間で無線通信を介して代表的な縮小画像を読み出して表示する記録装置が提案されている（例えば、特許文献１参照）。
【特許文献１】特開２００６−１４０６３０号公報
【発明の開示】
【発明が解決しようとする課題】
【０００５】
しかしながら、上記従来の技術では、代表的な縮小画像だけを取得することから、取得した縮小画像が必ずしも確認したい画像と一致しているとは限らないという問題がある。一方、全ての画像を確認しようとすると、大容量のカード型記録媒体に多数の画像が保存されている場合は、長時間に渡って無線通信の接続状態を維持しなければならず、画像を素早く確認することができないという問題がある。
【０００６】
本発明は、上記問題に鑑み、多数のデータが保存された大容量の非接触記録媒体からデータを取得する場合であっても、非接触記録媒体との接続時間を短くしてデータの内容を素早く確認することができるデータ取得装置および方法を提供することを目的とする。
【課題を解決するための手段】
【０００７】
上記目的を達成するために、請求項１記載のデータ取得方法は、無線通信によって非接触記録媒体からデータを取得するデータ取得装置のデータ取得方法において、前記非接触記録媒体との接続および切断の回数に応じて、非接触記録媒体内の所定の位置から一定量のデータを取得することを特徴とする。
【０００８】
上記目的を達成するために、請求項５記載のデータ取得装置は、非接触記録媒体との間で非接触通信を行う通信手段と、前記非接触記録媒体から前記非接触通信によりデータを取得する取得手段と、前記非接触記録媒体との接続および切断の回数をカウントするカウント手段とを備えるデータ取得装置において、前記取得手段は、前記非接触記録媒体との接続時に取得するデータを一定量に制限し、非接触記録媒体との接続および切断の回数に応じて、非接触記録媒体内の所定の位置からデータを取得することを特徴とする。
【発明の効果】
【０００９】
本発明によれば、多数のデータが保存された大容量の非接触記録媒体からデータを取得する場合であっても、非接触記録媒体との接続時間を短くしてデータの内容を素早く確認することができる。
【発明を実施するための最良の形態】
【００１０】
以下、本発明の実施の形態を図面を参照して詳細に説明する。
【００１１】
［第１の実施形態］
本実施形態は、非接触記録媒体とデータ取得装置とが無線通信で接続された場合、一度の接続でデータ取得装置が非接触記録媒体から取得するデータをデータ取得装置の表示部に表示できる量に制限する点を特徴とする。そして、非接触記録媒体とデータ取得装置との間の無線通信の接続および切断の回数に応じて、非接触記録媒体の特定領域からデータ取得装置の表示部に表示可能な一画面分のデータをデータ取得装置が取得する。一方、前回とは異なる非接触記録媒体との接続および切断を検出したときには、前回カウントした接続および切断の回数をリセットする。
【００１２】
図１は、本発明の第１の実施形態に係るデータ取得方法が適用された撮像装置の概略構成を示すブロック図である。
【００１３】
図１において、撮像部１は、光学系レンズ、ＣＣＤ等の撮像素子、オートフォーカス機構、ズーム機構等から成る。撮像部１は、カメラ制御部３の指示に従い、被写体に対して焦点や光量等を調整し、レンズを通して結像された被写体の光学像を映像信号に変換し、カメラ信号処理部２に送出する。カメラ信号処理部２は、カメラ制御部３の指示に従い、映像信号に所定の信号処理を施して、記録系信号処理部６に送出する。
【００１４】
操作部１３の一部は、カメラ系に関する各種スイッチ、ダイヤル（ＡＦオン／オフ、ＡＥオート／ロック、プログラムＡＥ、ズーム等）類で構成され、操作者からの指示をシステム制御部８を介してカメラ制御部３に送出する。カメラ制御部３は、マイクロコンピュータ等により構成され、システム制御部８、操作部１３の指示等によりカメラ系全体を制御する。
【００１５】
信号処理部５は、記録系信号処理部６と再生系信号処理部７とで構成され、システム制御部８の指示により、様々な、記録・再生信号処理を行う。記録系信号処理部６は、カメラ信号処理部２から出力された信号に対して、所定の信号処理を施してＶＴＲブロック４に送出する。ＶＴＲブロック４は、メカ部、メカ駆動部、マイクロコンピュータを中心とするメカ・サーボ制御部等で構成される。
【００１６】
再生系信号処理部７は、ＶＴＲブロック４から送出された信号に所定の処理を施し、画像変換部１０に送出する。また、再生系信号処理部７は、システム制御部８から送られる文字情報、印刷範囲枠表示情報を映像信号にミックスし、液晶パネル９に送出する。液晶パネル９は、映像信号を受信して操作者に対して映像を映し出すと供に、文字や記号による本体の各種情報の表示、メニュー設定時のガイド表示、印刷範囲枠表示等を行う。
【００１７】
画像変換部１０は、システム制御部８の指示により、再生系信号処理部７からの再生信号をプリンタが認識できる画像ファイル（例えば、ＪＰＥＧ画像等）に変換する。そして、非接触通信インターフェース（Ｉ／Ｆ）部１１に無線通信で接続された非接触記録媒体や記録媒体接続部１２に接続された記録媒体への記録・再生動作を行う。
【００１８】
非接触通信インターフェース部１１は、不図示の高周波の無線通信の電波を送受信するアンテナ部と、周波数変換部と、変復調部とで構成される。受信した高周波の信号は、周波数変換部において高周波信号から中間周波数の信号へとダウンコンバートされる。ダウンコンバートされたアナログ信号は、変復調部においてアナログ信号からデジタル信号へと復調され、システム制御部８へと送られる。一方、信号を送信するときは、システム制御部８から変復調部にデータが送られ、デジタル信号から中間周波数のアナログ信号へと変調される。そして、周波数変換部において中間周波数から高周波数へとアップコンバートされた後、アンテナ部から電波として送信される。
【００１９】
記録媒体接続部１２は、接触型の通信インターフェースを備えた取り外し可能な記録媒体の接続部であり、システム制御部８からの制御によりデータ通信が行われる。操作部１３は、ＶＴＲ系および装置全体に関する各種スイッチ類で構成され、操作者からの指示をシステム制御部８に送出する。
【００２０】
次に、非接触通信インターフェース部１１との間で無線通信による接続が可能な非接触記録媒体について説明する。
【００２１】
図２は、図１の撮像装置１００に接続可能な記録媒体の構成例を示す図である。
【００２２】
図２において、非接触記録媒体２００は、非接触通信インターフェースを備え、撮像装置１００に対して、非接触の無線通信による接続または装填による接触型の接続が可能なカード型記録媒体である。端子２１は、非接触記録媒体２００が撮像装置１００に装填されたときに、撮像装置側の端子（不図示）と接触して電気的な接続を得るための接点端子である。アンテナ部２２は、非接触通信インターフェースを備えた装置と無線通信を行うためのアンテナであり、無線信号の送受信を行うためのインターフェースである。コントローラ２３は、制御手段として、端子２１やアンテナ部２２を経由して送受信される信号の制御と、メモリ部２４の制御を行う。メモリ部２４は、端子２１やアンテナ部２２を経由して送受信される画像等のデータを保存するためのフラッシュメモリである。
【００２３】
本実施形態では、撮像装置１００で静止画撮影が行われた場合、メモリ部２４に静止画像（本画像）、静止画像のサムネイル画像、および撮影情報が記録される。また、メモリ部２４には、同一の非接触記録媒体か否かを識別するためのＩＤが記録または更新され、非接触記録媒体２００と撮像装置１００が無線通信で接続されたときは、撮像装置１００は、メモリ部２４に記録されているＩＤを取得する。
【００２４】
図３は、メモリ部２４におけるデータの保存領域の一例を示す図である。
【００２５】
メモリ部２４には、サムネイル画像が保存される非接触／接触領域と、サムネイル画像（Ｔｈｕｍｂ）および本画像が保存される接触領域とで構成される。非接触／接触領域に保存されたサムネイル画像は、非接触記録媒体２００が撮像装置１００に装填された場合または非接触記録媒体２００と撮像装置１００との間で無線通信により接続された場合に利用される。一方、接触領域に保存されたサムネイル画像および本画像は、非接触記録媒体２００が撮像装置１００に装填された場合にのみ利用される。
【００２６】
図４は、撮像装置１００にて実行される非接触記録媒体２００からのデータ取得方法の流れを示すフローチャートである。本処理は、システム制御部８が、所定の制御プログラムを読み出して実行することにより、上述した各部と協働でなされるものである。
【００２７】
まず、システム制御部８は、非接触記録媒体が非接続状態である時間を計測するための非接続タイマーを初期化すると共に、非接続タイマーのカウントを開始する（ステップＳ４０１）。
【００２８】
次に、システム制御部８は、例えば、非接触記録媒体２００の無線通信による接続（以下、単に「接続」と略す）を検出すると（ステップＳ４０２でＹＥＳ）、無線通信を介して非接触記録媒体２００内のメモリ部２４からＩＤを取得する（ステップＳ４０５）。このＩＤは、上述したように、撮像装置に同一の非接触記録媒体が接続されているか否かを識別するための識別情報であるが、その内容は識別可能な情報であればなんでもよい。
【００２９】
一方、非接続タイマーによりカウントされた一定時間を経過しても非接触記録媒体の接続が検出されなかったときは、システム制御部８は、撮像装置内で有効になっている非接触記録媒体のＩＤを破棄して（ステップＳ４０４）、ステップＳ４０１に遷移する。
【００３０】
ステップＳ４０６では、システム制御部８は、接続が検出された非接触記録媒体２００からＩＤが取得できたか否かを判別する（ステップＳ４０６）。ここで、非接触記録媒体２００が初めて撮像装置１００に接続された場合、メモリ部２４にはＩＤが記録されていない。その場合（ステップＳ４０６でＮＯ）、システム制御部８は、ＩＤを発行し（ステップＳ４０８）、発行したＩＤを、接続中の非接触記録媒体２００内のメモリ部２４に無線通信を介して記録する（ステップＳ４０９）。次に、システム制御部８は、新規にＩＤを発行したため、ＩＤの更新（ステップＳ４１０）と、データ取得アドレスの初期化を行う（ステップＳ４１１）。データ取得アドレスは、非接触記録媒体に保存されているデータの位置を特定するためのアドレス情報である。
【００３１】
一方、ステップＳ４０６において、システム制御部８が非接触記録媒体２００内のメモリ部２４からＩＤを取得できたときは、取得したＩＤが有効なＩＤかどうかを確認する（ステップＳ４０７）。ここでいう有効なＩＤとは、データ取得が可能な状態になっている非接触記録媒体のＩＤを意味する。ＩＤがあるにもかかわらず有効なＩＤではない場合は、過去に装置に接続されたことがある非接触記録媒体が改めて接続されたことを意味し、システム制御部８はＩＤを更新し（ステップＳ４１０）、取得するデータのアドレスの初期化を行う（ステップＳ４１１）。
【００３２】
一方、ステップ４０７において、取得したＩＤが有効なＩＤである場合、システム制御部８は、データ取得アドレスを更新する（ステップＳ４１２）。
【００３３】
データ取得アドレスを初期化（ステップＳ４１１）または更新（ステップＳ４１２）がされると、システム制御部８は、データ取得アドレスに基づいて液晶パネル９にインデックス表示を行う（ステップＳ４１３）。インデックス表示された画面の一例を図５の画面１０１，１０２に示す。画面１０１の表示部分１０１ａには、データ情報アドレスに基づくページ数／総ページが表示される。総ページは、非接触記録媒体２００のメモリ部２４に保存されたデータ数（ここでは画像数）に応じて決定される。例えば、本実施の形態では、メモリ部２４にＡ１〜Ａ７０の７０枚の画像データが保存されており、一画面分の画像データの表示枚数が６枚であることから、総ページは１２となる。データ取得アドレスが初期化されていた場合、１回目の接続の時点で、例えば、画面１０１が表示されるが、データ取得アドレスが更新されていた場合、２回目の接続の時点で、例えば、画面１０２が表示される。
【００３４】
次に、液晶パネル９のインデックス表示と同時に、システム制御部８は、接続タイマーの初期化とカウントの開始を行う（ステップＳ４１４）。つづいて、非接触記録媒体２００のＩＤと取得するデータのアドレス（位置）が確定すると、システム制御部８は、接続タイマーによりカウントされた一定時間内に、非接触記録媒体２００との切断が検出されたか否かを判断する（ステップＳ４１５，Ｓ４１６）。切断が検出された場合には、ステップＳ４０１に戻る。例えば、１回目の接続で画面１０１の表示が行われた後、一定時間内に、同一の非接触記録媒体２００と撮像装置１００との切断および２回目の接続が行われたときは、システム制御部８は、接続・切断の回数のカウントを継続する。
【００３５】
一方、一定時間内に、非接触記録媒体２００との切断が検出されなかった場合、システム制御部８は、非接触記録媒体内のメモリ部２４のデータ取得アドレスに対応する位置から一定量のデータを取得する（ステップＳ４１７）。このとき取得するデータの一定量は、本実施形態では、撮像装置１００の液晶パネル９の一画面で表示できるデータ量である。取得するデータは、サムネイル画像や撮影日時、画像サイズなどの撮影情報で構成される。サムネイル画像は、図３に示すメモリ部２４内の非接触／接触領域に保存されたものである。
【００３６】
次に、一定量のデータの取得が完了すると（ステップＳ４１８でＹＥＳ）、システム制御部８は、液晶パネル９にデータの表示を行う（ステップＳ４１９）。非接触記録媒体２００からデータとしてサムネイル画像を取得して液晶パネル９にサムネイル表示する場合の画面例を図６に示す。図示例では、サムネイル画像Ａ１〜Ａ６と、各サムネイル画像の撮影日時と、画像サイズとが画面上に表示されている。
【００３７】
ステップＳ４１９までの処理が終わると、次の処理に遷移するために非接触記録媒体２００との切断の検出待ち状態となる（ステップＳ４２０）。無線通信の切断が検出されない限り、次の動作への遷移は行わない。無線通信の切断が検出されると、非接続タイマーを初期化すると共に、非接続タイマーのカウントを開始し（ステップＳ４０１）、再び非接触記録媒体２００の接続待ち状態に移る（ステップＳ４０２）。
【００３８】
上記処理を実行して非接触記録媒体２００と撮像装置１００との切断・接続を１２回繰り返し行うと、液晶パネル９には図５の画面１０３が表示される。一方、図５に示すように、非接触記録媒体２００に対する接続・切断の途中で、前回とは異なる他の非接触記録媒体２００ａとの接続・切断を検出した場合には、上記処理により前回カウントした切断・接続の回数をリセットする。そして、他の非接触記録媒体２００ａとの接続・切断の回数に応じて画面１０４，１０５が液晶パネル９に表示される。
【００３９】
上記第１の実施形態によれば、非接触記録媒体２００との接続時に取得するデータを一定量に制限し、非接触記録媒体２００との接続および切断の回数に応じて、非接触記録媒体内の所定のアドレスからデータを取得する。これにより、多数のデータが保存された大容量の非接触記録媒体からデータを取得する場合であっても、非接触記録媒体との接続時間を短くしてデータの内容を素早く確認することができる。
【００４０】
［第２の実施形態］
本発明の第２の実施の形態に係るデータ取得装置は、その構成（図１）が上記第１の実施の形態に係るデータ取得装置と同じであり、第１の実施の形態と同様の部分については、同一の符号を用いてその説明を省略する。以下に、上記第１の実施の形態と異なる点のみを説明する。
【００４１】
上記第１の実施形態では、非接触記録媒体との接続毎に同一の種類のデータを取得する取得方法について説明した。本実施の形態では、非接触記録媒体に異なる種類のデータが混在して保存されていた場合において、データの種類毎に非接触記録媒体から液晶パネル９に表示可能な分のデータを取得する。
【００４２】
図７は、本発明の第２の実施形態に係るデータ取得方法の模式図である。
【００４３】
図７において、１回目の接続では、図４のステップＳ４１５，Ｓ４１６のように、一定時間内に、非接触記録媒体２００との切断が検出されなかった場合、撮像装置内のシステム制御部８は、非接触記録媒体２００からデータを取得すると共にカード情報を取得する。カード情報としては、例えば、非接触記録媒体２００の総記憶容量、使用量、画像枚数等が挙げられる。そして、システム制御部８は、液晶パネル９に画面７０１，７０２を表示する。
【００４４】
次に、２回目以降の切断・接続時には、撮像装置１００は、異なる種類の複数のデータのうちの１種類のデータ（ここではサムネイル画像）を取得して、画面７０４，７０５のように表示する。そして、当該種類の各データの取得および表示が行われた後は、他の種類のデータ（ここでは本画像）の取得および表示を行う。このとき表示される画面が画面７０６〜７０８となり、画面７０８では、画像としてＡ２が表示される。
【００４５】
上記第２の実施形態によれば、非接触記録媒体に異なる種類のデータが混在している場合でも、データの種類毎に、接続時に取得するデータを一定量に制限し、非接触記録媒体との接続・切断の回数に応じて、非接触記録媒体からデータを取得する。これにより、上記第１の実施形態における効果をさらに奏することができる。
【００４６】
上記第１および第２の実施形態では、一画面分の表示データを一定単位のデータとして取得しているが、本発明を実施する上では、一定の単位のデータとしては複数画面分の表示データでもよく、画面に表示しないデータを含むデータであっても構わない。
【００４７】
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコードおよび該プログラムコードを記憶した記憶媒体は本発明を構成することになる。
【００４８】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００４９】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００５０】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００５１】
【図１】本発明の第１の実施形態に係るデータ取得方法が適用された撮像装置の概略構成を示すブロック図である。
【図２】図１の撮像装置に接続可能な非接触記録媒体の構成例を示す図である。
【図３】メモリ部におけるデータの保存領域の一例を示す図である。
【図４】撮像装置にて実行される非接触記録媒体からのデータ取得方法の流れを示すフローチャートである。
【図５】第１の実施形態に係るデータ取得方法の模式図である。
【図６】データ取得後に液晶パネルに表示される画面の一例を示す図である。
【図７】本発明の第２の実施形態に係るデータ取得方法の模式図である。
【符号の説明】
【００５２】
１  撮像部
２  カメラ信号処理部
３  カメラ制御部
６  記録系信号処理部
７  再生系信号処理部
８  システム制御部
９  液晶パネル
１１  非接触通信インターフェース部
１２  記録媒体接続部
１００  撮像装置
２００  非接触記録媒体
【図１】
2010011318.tif 000003
【図２】
2010011318.tif 000004
【図３】
2010011318.tif 000005
【図４】
2010011318.tif 000006
【図５】
2010011318.tif 000007
【図６】
2010011318.tif 000008
【図７】
2010011318.tif 000009